(57)【要約】【課題】検知器の使用中に、電力供給状態がＯＦＦ状態に切り替えられるのを防止して、検知器本来の機能を適切に発揮できなくなる状況に陥るのを防止すること。【解決手段】機器本体１には、電源部２と、その電源部２からの電力供給により検知対象を検知する検知部と、ＯＮ操作が行われることで電源部２から検知部への電力供給状態をＯＮ状態とし、且つ、ＯＦＦ操作が行われることで電力供給状態をＯＦＦ状態とする切替操作体１８とが備えられ、ＯＮ操作は、切替操作体１８に対する操作を行うように設定されているとともに、ＯＦＦ操作は、ＯＮ操作とは異なる操作で且つ切替操作体１８とは異なる別部材に対する先行操作を行った後、切替操作体１８に対する操作を行うように設定されている。【選択図】図４
2016151879.tif 000002
【特許請求の範囲】
【請求項１】
機器本体には、電源部と、その電源部からの電力供給により検知対象を検知する検知部と、ＯＮ操作が行われることで前記電源部から前記検知部への電力供給状態をＯＮ状態とし、且つ、ＯＦＦ操作が行われることで前記電力供給状態をＯＦＦ状態とする切替操作体とが備えられ、
前記ＯＮ操作は、前記切替操作体に対する操作を行うように設定されているとともに、前記ＯＦＦ操作は、前記ＯＮ操作とは異なる操作で且つ前記切替操作体とは異なる別部材に対する先行操作を行った後、前記切替操作体に対する操作を行うように設定されている検知器。
【請求項２】
前記ＯＦＦ操作は、前記ＯＮ操作に比べて、操作数が多くなるように設定されている請求項１に記載の検知器。
【請求項３】
前記ＯＦＦ操作が行われることを妨げる操作妨害手段が備えられている請求項１又は２に記載の検知器。
【請求項４】
前記機器本体に対して着脱自在で、且つ、前記機器本体に対する装着状態で前記切替操作体の一部を覆うカバーが備えられ、前記先行操作は、前記機器本体から前記カバーを取り外す操作に設定されている請求項１〜３の何れか１項に記載の検知器。
【請求項５】
前記ＯＮ操作は、前記機器本体の外方側に一部が突出する状態で前記機器本体の外面部に取り付けられた前記切替操作体を前記機器本体の内方側に押込移動させる操作に設定され、前記ＯＦＦ操作は、前記機器本体から前記カバーを取り外す前記先行操作を行った後、前記機器本体から前記切替操作体を取り外し、再度、前記機器本体の外面部に前記切替操作体を取り付けて前記機器本体の内方側に押込移動させる操作に設定されている請求項４に記載の検知器。
【発明の詳細な説明】
【技術分野】
【０００１】
本発明は、電源部からの電力供給により検知対象を検知する検知部を備えた検知器に関する。
【背景技術】
【０００２】
上記検知器は、例えば、火災により発生する煙や温度上昇、不完全燃焼により発生するＣＯガス、都市ガス等のガス漏れにより発生する漏洩ガス等を検知対象とし、その検知対象の状況に応じた警報を行う警報器として用いられている。この検知器では、例えば、電源部として電池が備えられ、その電池から検知部への電力供給状態をＯＮ状態とＯＦＦ状態とに切り替えるための切替操作体（電源スイッチ）が備えられている（例えば、特許文献１参照。）。
【０００３】
そして、切替操作体をＯＮ操作することで、電池から検知部への電力供給状態をＯＮ状態とし、検知部にて検知対象を検知する検知動作を行い、切替操作体をＯＦＦ操作することで、電池から検知部への電力供給状態をＯＦＦ状態として、検知動作を停止している。
【先行技術文献】
【特許文献】
【０００４】
【特許文献１】特開２００８−２８７３８２号公報
【発明の概要】
【発明が解決しようとする課題】
【０００５】
上記検知器では、例えば、出荷時等の使用前に、切替操作体をＯＦＦ操作しておくことで、電源部から検知部への電力供給状態をＯＦＦ状態として、電源部（電池）の消耗を抑制している。そして、検知器の使用を開始する際に、切替操作体をＯＮ操作することで、電源部から検知部への電力供給状態をＯＮ状態とし、検知部にて検知対象を検知する検知動作を開始している。
【０００６】
検知器の使用中は、電力供給状態をＯＮ状態に維持することで、検知対象を検知するという検知器本来の機能を発揮できる。しかしながら、検知器の使用中に、使用者等により切替操作体がＯＦＦ操作されると、電力供給状態がＯＦＦ状態となり、検知部による検知動作が行われず、検知器本来の機能を発揮できなくなる。
【０００７】
この実情に鑑み、本発明の主たる課題は、機器の使用中に、電力供給状態がＯＦＦ状態に切り替えられるのを防止して、機器本来の機能を適切に発揮できなくなる状況に陥るのを防止できる検知器を提供する点にある。
【課題を解決するための手段】
【０００８】
本発明の第１特徴構成は、機器本体には、電源部と、その電源部からの電力供給により検知対象を検知する検知部と、ＯＮ操作が行われることで前記電源部から前記検知部への電力供給状態をＯＮ状態とし、且つ、ＯＦＦ操作が行われることで前記電力供給状態をＯＦＦ状態とする切替操作体とが備えられ、
前記ＯＮ操作は、前記切替操作体に対する操作を行うように設定されているとともに、前記ＯＦＦ操作は、前記ＯＮ操作とは異なる操作で且つ前記切替操作体とは異なる別部材に対する先行操作を行った後、前記切替操作体に対する操作を行うように設定されている点にある。
【０００９】
本特徴構成によれば、ＯＦＦ操作としては、ＯＮ操作に比べて、先行操作を行うことが必要であり、しかも、その先行操作の操作対象は、切替操作体とは異なる別部材で、且つ、ＯＮ操作とは異なる操作を行うことが必要である。よって、ＯＦＦ操作は、使用者等にとって、操作の手順や仕方を意識して行うことが必要な難しい操作となっている。これにより、検知器の使用中に、使用者等によって誤ってＯＦＦ操作されることもなく、電力供給状態がＯＦＦ状態に切り替えられるのを防止して、検知器本来の機能を適切に発揮できなくなる状況に陥るのを防止できる。
【００１０】
本発明の第２特徴構成は、前記ＯＦＦ操作は、前記ＯＮ操作に比べて、操作数が多くなるように設定されている点にある。
【００１１】
本特徴構成によれば、ＯＦＦ操作を行うときには、ＯＮ操作を行うときに比べて、操作数が多く手間のかかるものとなる。これにより、使用者等は、簡単にＯＦＦ操作を行えないので、検知器の使用中に、電力供給状態がＯＦＦ状態に切り替えられるのを適切に防止できる。
【００１２】
本発明の第３特徴構成は、前記ＯＦＦ操作が行われることを妨げる操作妨害手段が備えられている点にある。
【００１３】
本特徴構成によれば、検知器の使用中に、使用者等がＯＦＦ操作しようとしても、操作妨害手段によって妨害されて、ＯＦＦ操作が行い難い。これにより、検知器の使用中に、電力供給状態がＯＦＦ状態に切り替えられるのを確実に防止できる。
【００１４】
本発明の第４特徴構成は、前記機器本体に対して着脱自在で、且つ、前記機器本体に対する装着状態で前記切替操作体の一部を覆うカバーが備えられ、前記先行操作は、前記機器本体から前記カバーを取り外す操作に設定されている点にある。
【００１５】
本特徴構成によれば、機器本体からカバーを取り外す先行操作を行うまでは、切替操作体の一部が覆われているので、使用者等は、機器本体からカバーを取り外す先行操作を行うという手順を踏まなければ、切替操作体に対する操作が行い難い。よって、検知器の使用中に、切替操作体が安易に操作されるのを抑制でき、ＯＦＦ操作されるのを適切に防止できる。また、検知器の使用中には、通常、機器本体からカバーを取り外す操作を行わないので、ＯＦＦ操作として、検知器の使用中に通常行われない操作を含めることで、電力供給状態がＯＦＦ状態に切り替えられるのをより確実に防止できる。
【００１６】
本発明の第５特徴構成は、前記ＯＮ操作は、前記機器本体の外方側に一部が突出する状態で前記機器本体の外面部に取り付けられた前記切替操作体を前記機器本体の内方側に押込移動させる操作に設定され、前記ＯＦＦ操作は、前記機器本体から前記カバーを取り外す前記先行操作を行った後、前記機器本体から前記切替操作体を取り外し、再度、前記機器本体の外面部に前記切替操作体を取り付けて前記機器本体の内方側に押込移動させる操作に設定されている点にある。
【００１７】
本特徴構成によれば、ＯＮ操作は、切替操作体を機器本体の内方側に押込移動させるだけの操作であり、使用者等にとって簡単な操作となる。これにより、検知器を使用する際に、電力供給状態を確実にＯＮ状態に切り替えることができる。一方、ＯＦＦ操作は、機器本体からカバーを取り外す先行操作を行った後、機器本体から切替操作体を取り外す操作だけでなく、再度、機器本体の外面部に切替操作体を取り付けて機器本体の内方側に押込移動させる操作を行う必要があり、使用者等にとって非常に手間のかかる操作となる。よって、ＯＮ操作の簡素化を適切に図りながら、検知器の使用中に、電力供給状態がＯＦＦ状態に切り替えられるのを適切に防止できる。
【図面の簡単な説明】
【００１８】
【図１】検知器の全体斜視図
【図２】検知器の分解斜視図
【図３】ＯＮ操作の操作内容、及び、電力供給状態をＯＮ状態に切り替えるための構成を示す断面図
【図４】ＯＦＦ操作の操作内容、及び、電力供給状態をＯＦＦ状態に切り替えるための構成を示す断面図
【図５】非作用位置と作用位置とにおける切替操作体、取付部、及び、保持手段を示す斜視図
【図６】非作用位置と作用位置とにおける切替操作体、取付部、及び、保持手段を示す断面図
【発明を実施するための形態】
【００１９】
本発明に係る検知器の実施形態を図面に基づいて説明する。
この検知器は、図１及び図２に示すように、ケース４とカバー５，６からなる機器本体１から構成され、その機器本体１には、電源部２と、その電源部２からの電力供給により検知対象を検知する検知部３ａ〜３ｃとが備えられている。ケース４は、後面部と上下方向及び左右方向の四方の側面部を有して前方側を開放する形状に形成され、第１カバー５は、そのケース４の前方側の一部を覆い、第２カバー６は、第１カバー５の前方側を含むケース４の前方側の全体を覆うように構成されている。ちなみに、図示は省略するが、第１カバー５がケース４に固定具を用いて固定自在となっており、第２カバー６が係合手段による係合により固定自在となっている。機器本体１は、その内部を中空空間とする直方体状に形成されており、電源部２及び検知部３ａ〜３ｃは、機器本体１における内部の中空空間を収納箇所として、機器本体１（ケース４）に内蔵されている。
【００２０】
機器本体１は、機器本体１（ケース４）の後面部が室内等の壁面に取付けられている。機器本体１の後面部が平らな面状に形成されていることから、平坦な壁面に平坦な機器本体１の後面部を当て付け、機器本体１の姿勢が安定した姿勢で、室内の壁面に機器本体１が取り付けられている。機器本体１は、その上部に壁掛け用の取付孔７が備えられた係止部８が突出する状態で備えられ、ビス等の固定具９を用いて取り付けられている。
【００２１】
図２に示すように、電源部２として電池が用いられており、この実施形態では、機器本体１（ケース４）の左上部に電池が内蔵されている。検知部３ａ〜３ｃは、例えば、火災により発生する煙や温度上昇、不完全燃焼により発生するＣＯガス、都市ガス等のガス漏れにより発生する漏洩ガス等を検知対象としており、このような検知対象を検知できるものであれば、各種の検知部を適用でき、その検知部３ａ〜３ｃの数も適宜変更できる。この実施形態では、検知部３ａ〜３ｃとして、例えば、煙を検知する第１検知部３ａとＣＯガスを検知する第２検知部３ｂと漏洩ガスを検知する第３検知部３ｃの３つの検知部が備えられている。
【００２２】
検知部３ａ〜３ｃは、機器本体１の外部から機器本体１の内部に流入させる空気から検知対象を検知しており、機器本体１の外面部には、その空気を機器本体１の内部に流入させる流入口１０が備えられている。機器本体１のケース４には、前面視で四隅の夫々に前後方向に延びる柱部１１が備えられ、その柱部１１同士の間に形成された開口を流入口１０としている。このように、機器本体１の側面部の全周に亘って大きな開口面積の流入口１０を備えさせることができ、機器本体１の内部への空気の流入を効果的に行うことができる。
【００２３】
流入口１０には、前後方向に延びる中間柱部１２と、上下方向又は左右方向に延びる板状の区画部１３とが備えられている。区画部１３は、機器本体１の前後方向で流入口１０を複数の開口に区画するように備えられており、例えば、２つの区画部１３によって３つの開口に区画している。これにより、柱部１１同士の間の開口が、中間柱部１２及び区画部１３によって区画され、誤って異物や使用者の手指等が機器本体１の内部に挿入されるのを防止している。
【００２４】
機器本体１には、図２に示すように、電源部２及び検知部３ａ〜３ｃに加えて、検知部３ａ〜３ｃの検知動作やその検知状況に応じた警報動作の制御、電源部２から検知部３ａ〜３ｃへの電力供給状態の切替制御等、各種の制御を行うための制御回路を有する基板１４と、音声等の警報や報知を行うスピーカ部１５と、電源のＯＮ／ＯＦＦや警報等の各種の表示を行う表示部１６と、スピーカ部１５による警報動作を停止させるための操作部１７とが備えられている。
【００２５】
この検知器では、電源部２から検知部３ａ〜３ｃへの電力供給状態がＯＮ状態となると、検知部３ａ〜３ｃによる検知動作を開始して監視モードを実行している。監視モードでは、流入口１０から流入される空気中における煙、ＣＯガス、漏洩ガス等の検知対象の存在状況を検知部３ａ〜３ｃにて検知する検知動作が行われ、その検知対象の存在状況に応じてスピーカ部や表示部等にて警報を行い、操作部１７を操作することで、スピーカ部１５の警報が解除される。また、電源部２から検知部３ａ〜３ｃへの電力供給状態がＯＦＦ状態となると、検知部３ａ〜３ｃによる検知動作が停止されて監視モードの実行が停止される。
【００２６】
電源部２から検知部３ａ〜３ｃへの電力供給状態をＯＮ状態とＯＦＦ状態とに切り替えるために、機器本体１の側面部（例えば、左側面部）には切替操作体１８が設けられ、機器本体１の内部には、図３（ｂ）及び図４（ｂ）に示すように、切替操作体１８によって移動操作されて、電源部２から検知部３ａ〜３ｃへの電力供給状態を供給と遮断とに切り替える電力切替部１９が設けられている。
【００２７】
機器本体１の側面部（例えば、左側面部）には、切替操作体１８を取り付ける取付部２０が備えられている。取付部２０は、機器本体１の内方側に凹入させた凹部にて形成されており、機器本体１の側面部に形成された流入口１０の一部に配置されている。例えば、取付部２０は、区画部１３によって３つに区画された開口のうち、最も前方側に位置する開口に相当する箇所に配置されている（図２参照）。
【００２８】
取付部２０は、図３（ｂ）、図４（ｂ）及び図５に示すように、その内部空間が機器本体１の内方側に挿入される切替操作体１８の上下両端部及び後面部に当接する内壁部を有する断面コ字状に形成され、その当接状態で機器本体１の内方側に切替操作体１８をスライド移動自在に支持している。そして、取付部２０は、図１及び図３（ａ）に示すように、切替操作体１８の外側端部と機器本体１の外面部とが面一となる状態まで機器本体１の内方側に切替操作体１８を押込移動できるように構成されている。また、取付部２０として、図３（ｂ）及び図４（ｂ）に示すように、区画部１３を切り欠いた切欠溝部２０ｂが備えられ、その切欠溝部２０ｂは、機器本体１の内方側ほど幅狭となる傾斜状に形成されている。
【００２９】
切替操作体１８は、機器本体１に対する姿勢が、電力供給状態をＯＮ状態に切り替えるためのＯＮ姿勢（図３参照）と、電力供給状態をＯＦＦ状態に切り替えるためのＯＦＦ姿勢（図４参照）とに変更自在に構成されている。切替操作体１８のＯＮ姿勢とＯＦＦ姿勢は、切替操作体１８を前後反転させた姿勢であり、ＯＮ姿勢は切替操作体１８の前面側が機器本体１の前面側となる姿勢であり、ＯＦＦ姿勢は切替操作体１８の後面側が機器本体１の前面側となる姿勢となっている。つまり、切替操作体１８は、ＯＮ姿勢であってもＯＦＦ姿勢であっても、取付部２０に取り付け自在に構成されている。
【００３０】
切替操作体１８は、図３（ｂ）、図４（ｂ）及び図５に示すように、機器本体１の前後方向に延びる外側部位２１と、その外側部位２１における途中部から機器本体１の内方側に延びる内側部位２２とを備えたＴ字状に形成されている。そして、内側部位２２が、取付部２０の内部空間に挿入自在であり、その挿入状態で外側部位２１が機器本体１の外面部に沿う姿勢となっている。
【００３１】
外側部位２１は、機器本体１の前面視でコ字状に形成されて機器本体１の前後方向に延びる延設壁部２１ａと、その延設壁部２１ａよりも機器本体１の上下方向に突出して機器本体１の外方側ほど幅広となる傾斜状に形成された傾斜部２１ｂとを備えている。
【００３２】
内側部位２２は、機器本体１の前面視において、その上下方向の両端部に位置する第１延設部２２ａ及び第２延設部２２ｂと中央部に位置する第３延設部２２ｃとを間隔を隔てて備えている。第１延設部２２ａは、その延設方向の先端側端部から折り返された折り返し部２２ｄを有している。折り返し部２２ｄは、第２延設部２２ｂと間隔を隔てて対向位置するように折り返されており、その先端側ほど第２延設部２２ｂとの間隔が狭くなる傾斜状に形成されている。第３延設部２２ｃは、その延設方向の長さが第１延設部２２ａ及び第２延設部２２ｂよりも短く形成され、その先端部に鉤状の係合部２２ｅが形成されている。この係合部２２ｅは、取付部２０の内部空間に内側部位２２が挿入された状態で、機器本体１の内部に設けられた被係合部（図示省略）に係合自在に構成されている。
【００３３】
電力切替部１９は、例えば、ＯＮ位置（図３（ｂ）参照）とＯＦＦ位置（図４（ｂ）参照）とに位置変更自在であり、且つ、ＯＮ位置に位置する場合に電源部２から検知部３ａ〜３ｃへの電力供給状態をＯＮ状態とし、ＯＦＦ位置に位置する場合に電源部２から検知部３ａ〜３ｃへの電力供給状態をＯＦＦ状態とするスライド式のスイッチにて構成されている。電力切替部１９は、図３（ｂ）、図４（ｂ）及び図６に示すように、ＯＮ位置とＯＦＦ位置とに位置変更自在な部位が取付部２０の内部空間に突出する状態で、取付部２０の内部空間の前方側に配置されている。
【００３４】
電力供給状態をＯＮ状態とする場合には、図３（ｂ）に示すように、ＯＮ姿勢の切替操作体１８を機器本体１の内方側に押込移動させることで、切替操作体１８の内側部位２２における傾斜状の折り返し部２２ｄが電力切替部１９を押圧移動することになり、この押圧移動によって電力切替部１９がＯＮ位置まで移動操作されて、電力供給状態がＯＮ状態となる。逆に、電力供給状態をＯＦＦ状態とする場合には、図４（ｂ）に示すように、ＯＦＦ姿勢の切替操作体１８を機器本体１の内方側に押込移動させることで、切替操作体１８の内側部位２２における傾斜状の折り返し部２２ｄが電力切替部１９を押圧移動することになり、この押圧移動によって電力切替部１９がＯＦＦ位置まで移動操作されて、電力供給状態がＯＦＦ状態となる。
【００３５】
このような検知器では、出荷時等の使用前に、電力供給状態をＯＦＦ状態としておくことで、電源部２（電池）の消耗を抑制している。そして、検知器を使用する際に、ＯＮ操作することで、電力供給状態をＯＮ状態に切り替え、検知部３ａ〜３ｃによる検知動作を開始して監視モードを実行している。検知器の使用中には、電力供給状態をＯＮ状態に維持することで、監視モードを適切に実行して検知器本来の機能を発揮できる。しかしながら、使用者等により、電力供給状態がＯＦＦ状態に切り替えられると、検知器本来の機能を発揮できなくなる。
【００３６】
そこで、電力供給状態をＯＦＦ状態とするためのＯＦＦ操作は、電力供給状態をＯＮ状態とするためのＯＮ操作に比べて、使用者等にとって行い難い操作に設定している。つまり、ＯＮ操作は、切替操作体１８に対する操作を行うように設定されているとともに、ＯＦＦ操作は、ＯＮ操作とは異なる操作で且つ切替操作体１８とは異なる別部材に対する先行操作を行った後、切替操作体１８に対する操作を行うように設定されている。これにより、ＯＦＦ操作としては、ＯＮ操作に比べて、先行操作を行うことが必要であり、しかも、その先行操作の操作対象は、切替操作体１８とは異なる別部材で、且つ、ＯＮ操作とは異なる操作を行うことが必要である。よって、ＯＦＦ操作は、使用者等にとって、操作の手順や仕方を意識して行うことが必要な難しい操作となっているので、検知器の使用中に、使用者等によって誤ってＯＦＦ操作されることもなく、電力供給状態がＯＦＦ状態に切り替えられるのを防止して、検知器本来の機能を発揮できなくなる状況に陥るのを防止している。
【００３７】
ここで、ＯＮ操作は、検知器を使用する際に行う操作であることから、使用者等が操作することを想定している。一方、ＯＦＦ操作は、検知器の使用中に通常行わない操作であり、例えば、電源部２（電池）の交換作業やその他の各種のメンテナンス作業を行う際に行う操作であることから、メンテナンス作業者等が操作することを想定している。
【００３８】
ＯＮ操作は、図３（ａ）に示すように、機器本体１の外方側に一部が突出する状態で機器本体１の外面部に取り付けられた切替操作体１８を機器本体１の内方側に押込移動させる操作に設定されている。このように、ＯＮ操作は、取付部２０に取り付けられた切替操作体１８を機器本体１の内方側に押込移動させるだけの操作であり、非常に簡易な操作となっている。切替操作体１８は、機器本体１の外方側に一部が突出する非作用位置に取り付けられており、その非作用位置よりも機器本体１の内方側に位置する作用位置まで切替操作体１８を押込移動させるようにしている。例えば、作用位置では、切替操作体１８において外側部位２１が機器本体１の外方側に突出している。そして、図３（ｂ）に示すように、ＯＮ姿勢の切替操作体１８を作用位置まで押込移動することで、電力切替部１９がＯＮ位置に移動操作されて、電力供給状態がＯＮ状態となるとともに、切替操作体１８の係合部２２ｅと機器本体１の内部の被係合部との係合によって、切替操作体１８がＯＮ姿勢で作用位置に位置保持される。
【００３９】
一方、ＯＦＦ操作は、図４（ａ）に示すように、機器本体１から第２カバー６を取り外す先行操作を行った後、機器本体１から切替操作体１８を取り外し、再度、機器本体１の外面部に切替操作体１８を取り付けて機器本体１の内方側に押込移動させる操作に設定されている。このように、切替操作体１８とは別部材の第２カバー６を機器本体１から取り外す先行操作、ＯＮ姿勢で作用位置に位置する切替操作体１８を機器本体１から取り外す操作、取り外した切替操作体１８の姿勢をＯＮ姿勢からＯＦＦ操作に姿勢変更する操作、ＯＦＦ姿勢の切替操作体１８を機器本体１に取り付ける操作、取り付けたＯＦＦ姿勢の切替操作体１８を機器本体１の内方側に押込移動させる操作の各操作を順次行われければならない。よって、ＯＦＦ操作は、使用者等にとって大変手間のかかる特別な操作となっており、検知器の使用中に使用者等によりＯＦＦ操作されるのを適切に防止できる。また、切替操作体１８に対する操作についても、ＯＮ操作よりもＯＦＦ操作の方が多くの操作を行う必要があり、ＯＦＦ操作は、ＯＮ操作に比べて、操作数が多くなるように設定されている。そして、これらの操作を順次行うことで、切替操作体１８を機器本体１の内方側の作用位置まで押込移動すると、電力切替部１９がＯＦＦ位置に移動操作されて、電力供給状態がＯＦＦ状態となる。
【００４０】
図１及び図３（ａ）に示すように、ＯＮ操作を行うことで、ＯＮ姿勢の切替操作体１８が機器本体１の内方側の作用位置に位置すると、切替操作体１８の前方側が第２カバー６にて覆われる。そして、切替操作体１８の後方側及び上下方向の両側に開口が存在するものの、その開口は、区画部１３によって流入口１０を手指の挿入を不可能とする複数の開口に区画したものとなっている。よって、切替操作体１８の前方側、後方側、及び、上下方向の両側の周囲に使用者等の手指を挿入できる空間が存在せず、切替操作体１８の周囲に手指が挿入不可能な状態で機器本体１の外面部に設けられている。
【００４１】
切替操作体１８がＯＮ姿勢で作用位置に位置する場合に、切替操作体１８の外側部位２１における外側端部と区画部１３の外側端部と第２カバー６の外側端部とが機器本体１の内外方向で同一位置又は略同一位置に位置している。また、図３（ｂ）に示すように、切替操作体１８の外側部位２１における傾斜部２１ｂが取付部２０の切欠溝部２０ｂに嵌り込み、区画部１３と傾斜部２１ｂとが機器本体１の上下方向に一連に連続する状態となっている。これにより、切替操作体１８がＯＮ姿勢で作用位置に位置する場合には、機器本体１の外面部と切替操作体１８の外側端部とが機器本体１の内外方向で面一となる状態で且つ機器本体１の前後方向及び上下方向において一連に連続する状態となり、切替操作体１８において機器本体１の外面部よりも外方側に突出する部位がなく、使用者等の手指によって切替操作体１８を摘むことが不可能であり、しかも、筆記具等の操作具によって切替操作体１８を引っ掛ける部位がない。
【００４２】
このように、切替操作体１８がＯＮ姿勢で作用位置に位置する場合には、切替操作体１８の周囲に手指が挿入不可能であるとともに、切替操作体１８を手指にて摘むことも不可能であり、しかも、操作具によって切替操作体１８を引っ掛けて操作することも行い難く、切替操作体１８に対する操作が妨害される状態で機器本体１の外面部に設けられている。よって、切替操作体１８の係合部２２ｅと機器本体１の内部の被係合部との係合を解除するだけの操作力を切替操作体１８に与え難く、機器本体１から切替操作体１８を取り外し難い。これにより、切替操作体１８はＯＮ姿勢で作用位置に位置すると、その切替操作体１８を機器本体１から取り外す等の切替操作体１８に対する操作が妨害されており、機器本体１には、ＯＦＦ操作が行われることを妨害する操作妨害手段が備えられている。この操作妨害手段は、例えば、切替操作体１８の一部を覆う第２カバー６、その第２カバー６を機器本体１に装着した装着状態を維持するための係合手段、区画部１３と第２カバー６との間を閉塞する切替操作体１８の外側部位２１等から構成されている。
【００４３】
ＯＦＦ操作では、図４（ａ）に示すように、機器本体１から第２カバー６を取り外す先行操作を行うことで、ＯＮ姿勢で作用位置に位置する切替操作体１８の前方側が露出することになり、切替操作体１８の前方側に筆記具等の操作具及び手指が挿入可能となる。そして、切替操作体１８の外側部位２１における延設壁部２１ａは、コ字状に形成されているので、延設壁部２１ａの凹部に操作具における尖った先端部や指を引っ掛けることができる。よって、機器本体１から第２カバー６が取り外されることで切替操作体１８に対する操作の妨害が解除され、延設壁部２１ａの凹部に操作具の尖った先端部や指を引っ掛けて、切替操作体１８を機器本体１の外方側に移動させることで、切替操作体１８の係合部２２ｅと被係合部との係合を解除して、切替操作体１８を機器本体１から取り外すことができる。そして、取り外した切替操作体１８の姿勢を前後反転させてＯＮ姿勢からＯＦＦ姿勢とし、そのＯＦＦ姿勢の切替操作体１８を取付部２０に挿入して機器本体１に取り付け、ＯＦＦ姿勢の切替操作体１８を機器本体１の内方側の作用位置に押込移動させる。
【００４４】
上述の如く、切替操作体１８は、機器本体１の外方側の非作用位置と機器本体１の内方側の作用位置とに移動自在であるので、機器本体１には、図５及び図６に示すように、切替操作体１８が機器本体１に支持された状態に保持する保持手段２３が備えられている。保持手段２３は、切替操作体１８に設けられる凸状部２４とその凸状部２４に係合し、機器本体１に設けられる貫通孔部２５とを備えている。凸状部２４及び貫通孔部２５は、機器本体１の上下間隔を隔てて複数（例えば、２つ）備えられている。凸状部２４は、ＯＮ姿勢の切替操作体１８の内側部位２２における第１延設部２２ａ及び第２延設部２２ｂの後面部に設けられ、その後方側に突出する半球面状に形成されている。貫通孔部２５は、機器本体１の取付部２０における内壁部のうち、後方側に位置する内壁部２０ａに設けられており、機器本体１の内外方向に延びる長孔状に形成されている。
【００４５】
ＯＮ姿勢の切替操作体１８が非作用位置に位置する場合には、図５（ａ）及び図６（ａ）に示すように、貫通孔部２５において機器本体１の外方側端部に凸状部２４が係合している。切替操作体１８が作用位置に位置する場合には、図５（ｂ）及び図６（ｂ）に示すように、貫通孔部２５において機器本体１の内方側端部に凸状部２４が係合している。これにより、貫通孔部２５は、ＯＮ姿勢の切替操作体１８が非作用位置と作用位置とに移動する際に、凸状部２４との係合状態を維持するように構成されており、その貫通孔部２５と凸状部２４との係合によって非作用位置と作用位置とに亘り切替操作体１８が機器本体１に支持された状態に保持されている。また、貫通孔部２５は、機器本体１の内外方向に延びる長孔状であるので、非作用位置と作用位置との間での切替操作体１８の移動を案内する案内部として機能するように構成されている。そして、貫通孔部２５が、機器本体１の上下方向に間隔を隔てて複数備えられていることから、切替操作体１８の回転移動等を防止しながら、非作用位置と作用位置との間での移動を案内している。
【００４６】
取付部２０は、流入口１０の一部に配置されており、図５及び図６に示すように、貫通孔部２５が形成された取付部２０における内壁部２０ａは、機器本体１の前後方向で、流入口１０を区画する区画部１３と同一位置又は略同一位置に設けられている。これにより、流入口１０を通して機器本体１の内部に流入する空気が貫通孔部２５を通過して、意図していない箇所に空気が流入して、悪影響を与える可能性がある。そこで、切替操作体１８は、図５（ｂ）及び図６（ｂ）に示すように、作用位置において、貫通孔部２５を塞ぐように構成されている。凸状部２４は、ＯＮ姿勢の切替操作体１８の内側部位２２における第１延設部２２ａ及び第２延設部２２ｂの後面部において、その延設方向の先端側部位に設けられており、切替操作体１８が非作用位置から作用位置に移動する際に、第１延設部２２ａ及び第２延設部２２ｂ（内側部位２２）が貫通孔部２５の上部を移動することになる。第１延設部２２ａ及び第２延設部２２ｂ（内側部位２２）は、その横幅が貫通孔部２５よりも幅広に形成されており、切替操作体１８が非作用位置から作用位置側に移動するに伴って、第１延設部２２ａ及び第２延設部２２ｂ（内側部位２２）にて貫通孔部２５の上部を機器本体１の外方側から一連に塞いでいく。最終的に、切替操作体１８が作用位置まで移動されると、貫通孔部２５の上部の全体が第１延設部２２ａ及び第２延設部２２ｂ（内側部位２２）にて塞がれて、空気の通過を阻止している。これにより、例えば、貫通孔部２５と対向する位置には電力切替部１９が配置させているので、その電力切替部１９への空気の到達が阻止されて、電力切替部１９に対する塵埃等の異物の付着を防止できる。
【００４７】
保持手段２３は、切替操作体１８がＯＮ姿勢のときだけでなく、切替操作体１８がＯＦＦ姿勢のときにも、非作用位置と作用位置とに亘り切替操作体１８が機器本体１に支持された状態を保持するように構成されている。切替操作体１８がＯＮ姿勢のときには、上述の如く、切替操作体１８に設けられた凸状部２４と取付部２０の内壁部２０ａに設けられた貫通孔部２５との係合により切替操作体１８が機器本体１に支持された状態に保持されている。図６に示すように、取付部２０において後方側に位置する内壁部２０ａの反対側には、電力切替部１９が配置されており、この電力切替部１９を配置するための配設用孔部２６が形成されている。これにより、切替操作体１８がＯＦＦ姿勢のときには、図６（ｃ）に示すように、切替操作体１８に設けられた凸状部２４と配設用孔部２６との係合により切替操作体１８が機器本体１に支持された状態に保持されている。配設用孔部２６は、機器本体１の前後方向で貫通孔部２５と対向する状態で形成され、切替操作体１８が非作用位置と作用位置とに移動する際に、凸状部２４との係合状態を維持するように構成され、非作用位置と作用位置とに亘り切替操作体１８が機器本体１に支持された状態を保持している。
【００４８】
この保持手段２３による切替操作体１８の保持は、取付部２０に対して切替操作体１８を挿入して切替操作体１８を機器本体１の内方側に押込移動させることで行われ、保持手段２３による保持の解除は、取付部２０に取り付けられた切替操作体１８を非作用位置よりも機器本体１の外方側まで引っ張り出すことで行われる。
【００４９】
図５及び図６に示すように、取付部２０にＯＮ姿勢の切替操作体１８を挿入し、凸状部２４と貫通孔部２５とが係合するまで切替操作体１８を機器本体１の内方側に押込移動させることで、ＯＮ姿勢の切替操作体１８を保持手段２３にて保持する。このような操作を検知器の出荷時に予め行っておくことで、機器本体１と切替操作体１８とを分離させることなく、切替操作体１８を機器本体１に取り付けた状態とすることができるとともに、その切替操作体１８を非作用位置に位置させた状態で検知器を出荷できる。これにより、検知器を使用する際には、図３（ａ）に示すように、切替操作体１８を機器本体１に取り付ける操作をしなくてもよく、予め機器本体１に取り付けられた非作用位置に位置する切替操作体１８を作用位置に押込移動させるＯＮ操作を行うだけで、電力供給状態をＯＮ状態として監視モードを実行できる。しかも、非作用位置では、切替操作体１８の一部が機器本体１の外方側に突出しているので、使用者等がその切替操作体１８の存在に気付き易く、ＯＮ操作の操作忘れを防止することができる。
【００５０】
一方、ＯＦＦ操作において、図４（ａ）、図５及び図６に示すように、凸状部２４と貫通孔部２５との係合が解除するように、ＯＮ姿勢の切替操作体１８を非作用位置から更に機器本体１の外方側に引っ張り出すことで、ＯＮ姿勢の切替操作体１８を機器本体１から取り外すことができる。また、取付部２０にＯＦＦ姿勢の切替操作体１８を挿入し、凸状部２４と配設用孔部２６とが係合するまで切替操作体１８を機器本体１の内方側に押込移動させることで、ＯＦＦ姿勢の切替操作体１８を機器本体１に取り付けることができる。
【００５１】
ちなみに、凸状部２４と配設用孔部２６との係合が解除するように、ＯＦＦ姿勢の切替操作体１８を非作用位置から更に機器本体１の外方側に引っ張り出すことで、ＯＦＦ姿勢の切替操作体１８を機器本体１から取り外すことができる。
【００５２】
〔別実施形態〕
（１）上記実施形態では、ＯＮ操作が、機器本体１の外方側に一部が突出する状態で機器本体１の外面部に取り付けられた切替操作体１８を機器本体１の内方側に押込移動させる操作に設定され、ＯＦＦ操作が、機器本体１から第２カバー６を取り外す先行操作を行った後、機器本体１から切替操作体１８を取り外し、再度、機器本体１の外面部に切替操作体１８を取り付けて機器本体１の内方側に押込移動させる操作に設定されているが、下記のように、ＯＮ操作及びＯＦＦ操作を設定することもできる。
【００５３】
例えば、作用位置に押込移動された切替操作体１８を操作するための操作用孔部を機器本体１に形成し、その操作用孔部に操作具や手指を挿入することで、機器本体１からの切替操作体１８の取り外し操作を行えるようにする。そして、操作用孔部を閉塞する閉塞部材を設けておく。この場合に、ＯＮ操作を上記実施形態と同様の操作に設定するとともに、ＯＦＦ操作を、切替操作体１８とは異なる別部材となる閉塞部材（例えば、シール部材）を操作用孔部から取り外す先行操作を行った後、操作用孔部を用いて機器本体１から切替操作体１８を取り外し、再度、機器本体１の外面部に切替操作体１８を取り付けて機器本体１の内方側に押込移動させる操作に設定することができる。このとき、例えば、閉塞部材を第２カバー６とすることもできる。
【００５４】
また、切替操作体１８を機器本体１から取り外すための取り外し用操作部を設け、この取り外し用操作部が操作されることで、機器本体１から切替操作体１８を取り外せるようにする。例えば、機器本体１に取り付けられた切替操作体１８に対して係合して位置保持するロック手段を設け、取り外し用操作部を操作することで、ロック手段によるロックが解除されるように構成する。この場合に、ＯＮ操作を、上記実施形態と同様の操作や機器本体１に切替操作体１８を取り付ける操作に設定するとともに、ＯＦＦ操作を、切替操作体１８とは異なる別部材となる取り外し用操作部を操作する先行操作を行った後、機器本体１から切替操作体１８を取り外し、再度、機器本体１の外面部に切替操作体１８を取り付けて機器本体１の内方側に押込移動させる操作に設定することができる。
【００５５】
更に、切替操作体１８がＯＮ姿勢で機器本体１に取付けられると、その切替操作体１８の全体を覆い、切替操作体１８がＯＦＦ姿勢で機器本体１に取付けられると、その切替操作体１８の一部を露出する閉塞機構を備える場合には、ＯＮ操作を、機器本体１に切替操作体１８を取り付ける操作に設定するとともに、ＯＦＦ操作を、閉塞機構を操作して切替操作体１８の一部を露出させる先行操作を行った後、露出された部位を用いて切替操作体１８を機器本体１から取り外し、再度、機器本体１に切替操作体１８を取り付ける操作に設定することができる。
【００５６】
以上の如く、ＯＮ操作が、切替操作体１８に対する操作を行うように設定されているとともに、ＯＦＦ操作が、ＯＮ操作とは異なる操作で且つ切替操作体１８とは異なる別部材に対する先行操作を行った後、切替操作体１８に対する操作を行うように設定されているものであればよく、各種のＯＮ操作及びＯＦＦ操作を適用可能である。
【００５７】
（２）上記実施形態では、ＯＮ操作を、機器本体１の外方側に一部が突出する状態で機器本体１の外面部に取り付けられた切替操作体１８を機器本体１の内方側に押込移動させる操作に設定することで、切替操作体１８に対する操作のみとしているが、ＯＮ操作を、切替操作体１８とは異なる第１別部材を操作した後、切替操作体１８に対する操作を行うように設定することもできる。この場合には、例えば、ＯＦＦ操作を、切替操作体１８及び第１別部材とは異なる第２別部材を操作する先行操作を行った後、第１別部材を操作し、最後に、切替操作体１８に対する操作を行うように設定することができる。
【００５８】
例えば、機器本体１に取り付けられた切替操作体１８を覆う閉状態と開状態とに開閉自在なシャッター部材（第１別部材）と、電力供給状態がＯＮ状態のときに、そのシャッター部材を閉状態にロックするロック部材（第２別部材）とを設けた場合に、ＯＮ操作を、シャッター部材を開状態に操作した後、切替操作体１８に対する操作を行うように設定するとともに、ＯＦＦ操作を、ロック部材によるロックを解除する先行操作を行った後、シャッター部材を開状態に操作し、最後に、切替操作体１８に対する操作を行うように設定することもできる。
【００５９】
（３）上記実施形態において、切替操作体１８を機器本体１に対して着脱自在に備えなくてもよい。例えば、切替操作体１８を、ロック位置とロック解除位置とに回転操作自在とし、ロック解除位置に回転操作した状態で機器本体１の内方側の第１位置と外方側の第２位置とに移動自在とすることもできる。この場合、第１位置においてロック位置に回転操作されると、電力供給状態をＯＮ状態に切り替え、第２位置においてロック位置に回転操作されると、電力供給状態をＯＦＦ状態に切り替える。
【００６０】
また、切替操作体１８を機器本体１に対して着脱自在としない別の例としては、切替操作体１８を機器本体１の外方側に少し引っ張り出した位置で、ＯＮ位置とＯＦＦ位置に揺動操作自在とし、いずれかの位置を選択して、切替操作体１８を機器本体１の内方側に向けて押し込むことで、電力供給状態をＯＮ状態とＯＦＦ状態とに切り替えるようにしてもよい。
【００６１】
このように、切替操作体１８を機器本体１に対して着脱自在に備えない場合でも、電力供給状態をＯＦＦ状態に切り替える側への切替操作体１８の移動を妨げる操作妨害手段を設けることで、ＯＮ操作を、切替操作体１８を移動させる操作に設定するとともに、ＯＦＦ操作を、操作妨害手段による妨害を取り除く先行操作を行った後、切替操作体１８を移動させる操作に設定することもできる。
【００６２】
（４）上記実施形態において、切替操作体１８の配設位置については、左側面側としているが、右側面側、上側面側、又は、下側面側のいずれでもよい。また、機器本体１の形状も直方体状に限るものではなく、各種の形状に適宜変更できることから、その変更された機器本体１の形状に合わせて切替操作体１８の配設位置も変更することができる。更に、切替操作体１８の形状についても適宜変更が可能である。
【００６３】
（５）上記実施形態では、第１カバー５と第２カバー６の２つのカバーを備えているが、１つのカバーを備えて、そのカバーにてケース４の前方側の全体を覆うようにすることもできる。
【００６４】
（６）上記実施形態では、電源部２として電池を例示しているが、ＡＣ電源等の外部電源を用いる検知器にも適用可能である。
【００６５】
（７）上記実施形態では、切替操作体１８を取付部２０に予め取り付けて、保持手段２３にて切替操作体１８を保持した状態で検知器を出荷しているが、切替操作体１８を取付部２０に予め取り付けず、機器本体１と切替操作体１８とを分離した状態で検知器を出荷することもできる。
【００６６】
（８）上記実施形態では、ＯＦＦ操作において、先行操作として、機器本体１から第２カバー６を取り外すようにしているが、例えば、先行操作として、第１カバー５と第２カバー６との両カバーを機器本体１から取り外すようにしてもよい。
【符号の説明】
【００６７】
１          機器本体
２          電源部
３ａ〜３ｃ  検知部
６          カバー（第２カバー）
１８        切替操作体
【図１】
2016151879.tif 000003
【図２】
2016151879.tif 000004
【図３】
2016151879.tif 000005
【図４】
2016151879.tif 000006
【図５】
2016151879.tif 000007
【図６】
2016151879.tif 000008